(57)【特許請求の範囲】
【請求項１】
主振動系たる住宅に対する副振動系として、複数の分割マスをそれぞれ弾性支持した分割マス型ダイナミックダンパを設置する住宅用制振装置の設置方法であって、
住宅の固有振動数について予め２〜８Ｈｚの範囲内で複数の住宅振動数領域をＸ−Ｙ２振動方向にて分画設定し、その住宅振動数領域毎に分割マスの数が２〜８個で、固有振動数が０.１〜０.８Ｈｚの範囲内の一定のピッチ幅で順に増加又は減少するように設定された分割マス型ダイナミックダンパを規格化しておき、次に、個々の住宅に分割マス型ダイナミックダンパを設置する際に、住宅で実測され又は住宅の構造から予測される住宅固有振動数を求め、当該住宅の住宅固有振動数が含まれる住宅振動数領域内の規格化された分割マス型ダイナミックダンパを選択して、住宅に設置することを特徴とする住宅用制振装置の設置方法。
【請求項２】
前記住宅振動数領域毎に、それぞれ１種の分割マス型ダイナミックダンパが規格化されることを特徴とする、請求項１に記載の住宅用制振装置の設置方法。
【請求項３】
前記住宅振動数領域を更に住宅のＸ−Ｙ２振動方向にて分画した４〜９の領域に設定すると共に、その分画した各住宅振動数領域内において、分割マスの数を少なくして分割マス型ダイナミックダンパの固有振動数のピッチ幅が大きくなるように、又は分割マスの数を多くして分割マス型ダイナミックダンパの固有振動数のピッチ幅が小さくなるように、分割マス型ダイナミックダンパを規格化することを特徴とする、請求項１又は２に記載の住宅用制振装置の設置方法。
【請求項４】
前記分割マス型ダイナミックダンパの固有振動数のピッチ幅を、低周波数側では狭く及び／又は高周波数側では広く設定することを特徴とする、請求項１又は２に記載の住宅用制振装置の設置方法。
【請求項５】
前記住宅振動数領域毎に規格化された１種の分割マス型ダイナミックダンパの合計マス重量が４００〜８００ｋｇの範囲内であることを特徴とする、請求項１〜４のいずれかに記載の住宅用制振装置の設置方法。
【発明の詳細な説明】
【０００１】
【発明の属する技術分野】
本発明は、主振動系たる住宅に対する副振動系として作用する制振装置、特に複数の分割マスをそれぞれゴムマウントで弾性支持した分割マス型ダイナミックダンパを住宅に設置するための方法に関する。
【０００２】
【従来の技術】
一般住宅等の建築構造物では、交通振動、工場振動などの地盤から伝わる外力、風などの構造物に直接加わる外力、あるいは構造物内部の人の移動、設備機器の稼動による外力などによって構造物に振動が発生し、時には体感するに至り、不快感を感じるという問題が発生している。また、この振動に伴う不快音も問題となっている。
【０００３】
従来、建築構造物用の振動低減装置としては、高層ビルやタワー等の高層建築物の揺れを軽減するためのダンパ装置が幾つか提案されている。例えば、特開平３−７４６４９号公報や特開平８−３３８４６７号公報には、付加質量を建築構造物に対して多段積層ゴムで弾性支持せしめた構造のダンパ装置が開示されている。これらのダンパ装置は、水平方向で一つの副振動系を構成することにより、建築構造物に引き起される水平方向の振動に対して低減効果を発揮するようになっている。
【０００４】
しかし、これら従来のダンパ装置においては、特にダンパ装置のバネ部材がゴム弾性体で形成されている場合、バネ定数が温度依存性を有するために有効な振動低減効果が得られないという問題があった。例えば、一般住宅で屋根裏にダンパ装置を設置すると、屋根裏の温度は零下数十度から６０〜７０℃もの間で大きく変化するため、ダンパ装置の固有振動数を基準温度（例えば２０℃）でチューニングしても、目的とする制振効果を安定して得ることは望めなかった。
【０００５】
このような問題に対して、特開２０００−１９３０２０号公報には、温度変化等に起因して副振動系の主振動系に対する同調状態が変化した場合でも、安定した制振効果を得ることができる振動低減装置が提案されている。即ち、建築構造物の制振すべき振動に応じた最適質量を分割した複数の分割マスを採用し、各分割マスをそれぞれゴムマウントで弾性支持せしめて複数の副振動系を構成し、複数の副振動系に対して異なる固有振動数を設定するものである。
【０００６】
【発明が解決しようとする課題】
上述の各分割マスをそれぞれゴムマウントで弾性支持して複数の副振動系を構成した振動低減装置によれば、複数の副振動系に対して異なる固有振動数が設定されているため、制振すべき振動だけでなく、広い周波数にわたって振動低減効果が得られる。従って、ゴムマウントのばらつき、温度変化、バネ定数の経年変化、及び建築構造物の固有値のばらつきに起因して、チューニングのずれが発生した場合であっても、全体として良好な制振効果を維持することが可能とされている。
【０００７】
しかしながら、このような従来の振動低減装置を住宅に設置する場合には、一般的に個々の住宅毎に卓越振動数が異なっているため、制振すべき住宅の卓越振動数を実際に測定した後、その住宅に設置する分割マス型ダイナミックダンパの固有振動数を建築現場でそれぞれ最適にチューニングして設置する必要があった。
【０００８】
そのため、個々の住宅に対して分割マス型ダイナミックダンパの固有振動数を建築現場で設定するための時間が長くかかり、人件費の増加も大きいなど、個別対応のために生産性が著しく劣っていた。また、住宅の共振による卓越振動数が複数個あった場合には、個別対応が難しくなり生産性が一層低下していた。
【０００９】
本発明は、このような従来の事情に鑑み、個々の住宅毎に建築現場で複数の分割マス型ダイナミックダンパの固有振動数をチューニングする等の個別対応をなくして、生産性を顕著に向上させることができる、複数の分割マスからなる住宅用制振装置の設置方法を提供することを目的とする。
【００１０】
【課題を解決するための手段】
上記目的を達成するため、本発明が提供する住宅用制振装置の設置方法は、主振動系たる住宅に対する副振動系として、複数の分割マスをそれぞれ弾性支持した分割マス型ダイナミックダンパを設置する住宅用制振装置の設置方法であって、
住宅の固有振動数について予め２〜８Ｈｚの範囲内で複数の住宅振動数領域をＸ−Ｙ２振動方向にて分画設定し、その住宅振動数領域毎に分割マスの数が２〜８個で、固有振動数が０.１〜０.８Ｈｚの範囲内の一定のピッチ幅で順に増加又は減少するように設定された分割マス型ダイナミックダンパを規格化しておき、次に、個々の住宅に分割マス型ダイナミックダンパを設置する際に、住宅で実測され又は住宅の構造から予測される住宅固有振動数を求め、当該住宅の住宅固有振動数が含まれる住宅振動数領域内の規格化された分割マス型ダイナミックダンパを選択して、住宅に設置することを特徴とする。この本発明の住宅用制振装置の設置方法では、特に、前記住宅振動数領域毎に、それぞれ１種の分割マス型ダイナミックダンパが規格化されることが好ましい。
【００１１】
また、上記本発明の住宅用制振装置の設置方法においては、前記住宅振動数領域を更に住宅のＸ−Ｙ２振動方向にて分画した４〜９の領域に設定すると共に、その分画した各住宅振動数領域内において、分割マスの数を少なくして分割マス型ダイナミックダンパの固有振動数のピッチ幅が大きくなるように、又は分割マスの数を多くして分割マス型ダイナミックダンパの固有振動数のピッチ幅が小さくなるように、分割マス型ダイナミックダンパを規格化することを特徴とする。
【００１２】
上記本発明における住宅用制振装置の設置方法においては、その好ましい態様として、前記住宅振動数領域毎に規格化された１種の分割マス型ダイナミックダンパの合計マス重量が４００〜８００ｋｇの範囲内である。また、前記分割マス型ダイナミックダンパの固有振動数のピッチ幅を、低周波数側では狭く及び／又は高周波数側では広く設定することができる。
【００１３】
【発明の実施の形態】
本発明においては、防振すべき２階建や３階建の住宅の交通振動などによる微振動の固有振動数が２〜８Ｈｚの範囲内にあることから、この範囲内で複数の住宅振動数領域を分画して設定し、設定した住宅振動数領域毎に分割マス型ダイナミックダンパを予め規格化し、規格化された分割マス型ダイナミックダンパ群を予め用意しておく。尚、各分割マス型ダイナミックダンパは、それぞれ所定のマス重量を有する分割マスと、この分割マスを弾性支持する所定のバネ定数を有するゴムマウント等の弾性支持要素とからなり、予め定められた固有振動数に調整（チューニング）されている。
【００１４】
分割マスについては、一般の２階建や３階建の住宅について予め複数の重量区分を定め、それぞれの重量区分毎に分割マスを準備する。その際、複数の分割マスを組み合わせたときの合計マス重量を、４００〜８００ｋｇの範囲内とすることが好ましい。また、１個の分割マスを弾性支持する１個又は複数のゴムマウント等の弾性支持要素についても、予め複数のバネ定数区分を定め、それぞれのバネ定数区分毎にゴムマウント等の弾性支持要素を製造する。
【００１５】
これらの分割マスとゴムマウント等の弾性支持要素とを組み合わせ、２〜８Ｈｚの範囲内で予め定められた住宅振動数領域毎に、設定され規格化された分割マス型ダイナミックダンパを製造して用意する。各規格化された分割マス型ダイナミックダンパにおいては、分割マスの数が２〜８個であり、それぞれのダンパの固有振動数が０．１〜０．８Ｈｚの範囲内の所定ピッチ幅で順に増加又は減少するように設定される。例えば、分割マス型ダイナミックダンパについて、固有振動数が最少の２Ｈｚから最大の８Ｈｚまでの間に、０．１Ｈｚ、０．２Ｈｚ、０．３Ｈｚ、０．４Ｈｚ、０．５Ｈｚ、０．６Ｈｚ、０．７Ｈｚ、０．８Ｈｚから選択した所定ピッチ幅で固有振動数が増加又は減少するように設定する。
【００１６】
本発明における規格化された分割マス型ダイナミックダンパ中の各分割マスへの質量の分割は、均等な分割であっても又は不均等な分割であっても良い。また、各分割マス型ダイナミックダンパの固有振動数のピッチ幅は、基本的には等しい間隔とするが、不均等な間隔であっても良い。また、低周波数域と高周波数域では振動ないしは揺れの体感性が異なっており、低周波数域では敏感に振動を体感するのに対して、高周波数域では低周波数域ほど敏感に体感しないため、分割マス型ダイナミックダンパの固有振動数のピッチ幅を低周波数側では狭く、及び／又は高周波数側では広く設定することにより、体感的な制振効果をより一層高めることができる。
【００１７】
次に、これらの分割マス型ダイナミックダンパを住宅に設置する際には、予め住宅で実測され又は住宅の構造から予測される固有振動数を求め、次に、予め分画設定した複数の住宅振動数領域の中から当該住宅の固有振動数を含む住宅振動数領域を求め、その住宅振動数領域に設定され規格化された分割マス型ダイナミックダンパの中から最適のものを選択する。特に、予め住宅振動数領域毎にそれぞれ１種の分割マス型ダイナミックダンパを規格化しておき、設置すべき住宅により住宅振動数領域を選定して、その１種の分割マス型ダイナミックダンパを用いることが好ましい。
【００１８】
このように選択した分割マス型ダイナミックダンパを、例えば住宅の屋根裏に設置する。従って、本発明のシステムによれば、個々の住宅毎に、複数の分割マス型ダイナミックダンパの固有振動数値を建築現場でチューニングするなどの個別対応をする必要がなくなり、規格化され且つ工業的に量産された分割マス型ダイナミックダンパ群を用意しておき、その中から選択した分割マス型ダイナミックダンパを用いることで、生産性を顕著に向上させることができる。
【００１９】
しかも、一つの住宅に２〜８個からなる分割マス型ダイナミックダンパを設置し、且つ分割マス型ダイナミックダンパの個々の固有振動数を０．１〜０．８Ｈｚの範囲内のピッチ幅で順に増加又は減少するように設定することにより、住宅の固有振動数変化やゴムマウント等の弾性支持要素のバネ定数変化に対するロバスト性が改善され、例えばゴムマウント等の弾性支持要素のばらつき、温度変化及びバネ定数の経年変化に起因するバネ定数のずれや、住宅の固有振動数のばらつきによるチューニングのずれ、及び住宅の卓越振動数が複数個あった場合でも広い範囲での対応が可能である。また、一般の住宅における２〜８Ｈｚの固有振動数の範囲では、分割マス型ダイナミックダンパによる反共振を無くし又は低減することができるため、反共振に伴う別の振動や騒音の発生を防ぐことが可能である。
【００２０】
以下、本発明に係わる分割マス型ダイナミックダンパの好ましい実施形態について、図面を参照して説明する。図１は、本発明例の規格化された分割マス型ダイナミックダンパ１を住宅に設置した状態を示すものであり、それぞれ住宅の構造部材２に独立して設置された４個の分割マス型ダイナミックダンパ１ａ、１ｂ、１ｃ、１ｄから構成されている。各分割マス型ダイナミックダンパ１ａ、１ｂ、１ｃ、１ｄは、それぞれ分割マス１１ａ、１１ｂ、１１ｃ、１１ｄを、各４個のゴムマウント１２ａ、１２ｂ、１２ｃ、１２ｄで弾性支持した構造となっている。
【００２１】
因みに、一般的な軽量鉄骨や木造の軸組構造における２〜３階建ての住宅の場合、一般的に固有振動数は２〜８Ｈｚの間にあり、その振動特性に対して安定した制振性能を発揮するためには、分割マス型ダイナミックダンパの各分割マスの合計マス重量として４００〜８００ｋｇ程度が適当である。
【００２２】
尚、分割マスは、金属等の高比重材で形成されており、例えば鉄系や鉛系等で形成されたものが好適に採用される。分割マスの形状は特に限定されるものではないが、一般に板形状のものが好適に採用され、幅寸法よりも高さ寸法が小さく且つ高さが一定の板形状であって、平面的に複数の対象軸を有する形状が望ましい。また、分割マスとして、安価なコンクリート材を用いることもできる。
【００２３】
また、これら各分割マスを弾性支持するゴムマウントは、多段積層形のゴムマウントが好ましい。具体的には、図２及び図３に示すように、多段積層形のゴムマウント１２は、上下方向に積層された複数の板状金具１３と、隣接する各板状金具１３、１３の間に加硫接着して固着された複数のゴムブロック１４とからなる。各平板金具１３は中央の平板部１３ａを挟んだ長手方向両端が斜め上方に傾斜して形成され、この傾斜部１３ｂに対して各ゴムブロック１４がほぼ直交方向に固着されている。
【００２４】
最上段の平板金具１５には上方に突出した第１取付ボルト１７が設けてあり、平板金具１５の上に載置した分割マス部材（図示せず）を固定するようになっている。また、最下段の平板金具１６には下方に突出する第２取付ボルト１８が設けてあり、住宅の構造部材に固定できるようになっている。分割マス部材及び住宅の構造部材への固定方法については、取付ボルトに限るものではなく、固定できれば取付ボルトの代りに取付ナット又は取付穴を設けてもよい。
【００２５】
次に、本発明において、住宅振動数領域毎に複数の分割マス型ダイナミックダンパを設定して規格化する手法について、詳しく説明する。まず、２階建て又は３階建て住宅の固有振動数は２〜８Ｈｚが一般的であるが、３階建て住宅の固有振動数２〜５Ｈｚを住宅のＸ−Ｙ２振動方向にて分画し、４〜９の住宅振動数領域（領域幅１．０〜１．５Ｈｚの範囲内となる）を設定する。例えば、固有振動数２〜５Ｈｚを１．５Ｈｚの領域幅で分画すると、Ｘ−Ｙ２振動方向に合計４つの住宅振動領域が設定される。また、１．０Ｈｚの領域幅で分画すると、Ｘ−Ｙ２振動方向に合計９つの住宅振動領域が設定される。
【００２６】
住宅振動数領域毎に複数の分割マス型ダイナミックダンパを規格化する場合、分割マスの数は２〜８個とし、各ダンパの固有振動数は０．１〜０．８Ｈｚの範囲内のピッチ幅で順に増加又は減少するように設定する。その際、コストを重視して分割マスの数を少なくした場合、分割マス型ダイナミックダンパの固有振動数のピッチ幅を大きく設定することになる。一方、コストよりもロバスト性を重視する場合には、分割マスの数を多くし、分割マス型ダイナミックダンパの固有振動数のピッチ幅を小さくする必要がある。尚、２〜３階建ての住宅の振動特性に対して安定した制振性能を発揮する最適質量、即ち分割マス型ダイナミックダンパにおける各分割マスの合計マス重量は４００〜８００ｋｇの範囲である。
【００２７】
分割マス型ダイナミックダンパの好ましい規格の例としては、住宅振動数領域を１．５Ｈｚの領域幅で４領域に分画設定すると共に、分割マス型ダイナミックダンパは、分割マスの数を８、及び固有振動数のピッチ幅を０．２Ｈｚに設定する。この規格においては、分割マスの数が多いためコストは若干高くなるが、ロバスト性に優れている。逆に、ロバスト性は若干劣るが、コスト的に安価な例としては、住宅振動数領域を１．０Ｈｚの領域幅で９領域に分画設定すると共に、分割マス型ダイナミックダンパは、分割マスの数を２、及び固有振動数のピッチ幅を０．８Ｈｚに設定することが好ましい。最も好ましい例は、住宅振動数領域を１．５Ｈｚの領域幅で４領域に分画設定すると共に、分割マス型ダイナミックダンパは、分割マスの数を４、及び固有振動数のピッチ幅を０．４〜０．６Ｈｚに設定するものであり、コスト及びロバスト性の両方に優れている。
【００２８】
具体的に、住宅の振動の大きさに応じた最適質量が５００ｋｇ、且つ住宅の振動レベルに対して目標とする低減振動レベルを−５ｄＢ以上とした場合、その最適質量を２〜８分割して分割マスとし、分割マス型ダイナミックダンパの固有振動数のピッチ幅を０．０５〜１Ｈｚの範囲内で設定して、選択した複数の分割マス型ダイナミックダンパに関する各実施例及び比較例を下記表１に示す。尚、この表１においてΔ５ｄＢ幅とは、選択した分割マス型ダイナミックダンパ（ＴＭＤ）の固有振動数が目標とする低減振動レベル（−５ｄＢ）を達成している振動数の幅を意味する。
【００２９】
【表１】
0003586444.tif 000002
【００３０】
上記表１の実施例２を例にとって更に詳しく説明すると、最適質量を２分割とし、分割マス型ダイナミックダンパの固有振動数のピッチ幅を０．８Ｈｚに設定すると、表１よりΔ５ｄＢ幅における固有値変動量は１．１３Ｈｚであるので、住宅振動数領域の領域幅は約１．１Ｈｚとなり、図４に示すように、Ｘ方向とＹ方向における振動数２〜５．３Ｈｚの間の分画数は各３となり、住宅振動数領域として領域１〜９が設定され、分割マス型ダイナミックダンパ（ＴＭＤ）群の仕様数は９となる。このとき、図４に示す各領域１〜９には、それぞれＸ方向及びＹ方向の固有振動数が異なる２種の分割マス型ダイナミックダンパが含まれ、例えば領域１にはＸ方向が２．２Ｈｚと３．０Ｈｚ及びＹ方向が４．４Ｈｚと５．２Ｈｚ、領域５にはＸ方向及びＹ方向が共に３．３Ｈｚと４．１Ｈｚの分割マス型ダイナミックダンパが含まれる。
【００３１】
このようにして選定した規格に従って、複数の分割マスと、各分割マスを弾性支持するゴムマウントとを製造し、各住宅振動数領域毎に分割マス型ダイナミックダンパを用意する。その際に、分割マスのマス重量とゴムマウントのバネ定数を選定することにより、または分割マスを弾性支持する各ゴムマウントの角度を調整することによって、得られる分割マス型ダイナミックダンパの固有振動数を予め規格化された値に調整する。
【００３２】
上記のごとく規格化された中から分割マス型ダイナミックダンパを選択して住宅に設置する際には、設置すべき住宅の固有振動数を実測するか又は図面等から推測し、その振動数を含む住宅振動数領域の分割マス型ダイナミックダンパを使用する。例えば、ある住宅の固有振動数がＸ−Ｙ方向共に３．６Ｈｚと計算された場合には、図４の領域５（振動数３．６Ｈｚを含む）で規格化されている分割マス型ダイナミックダンパを選定して住宅に設置すればよい。
【００３３】
このようにして、上記表１の各実施例及び比較例について、それぞれ分割マス型ダイナミックダンパを選択して住宅に設置したとき、その分割マス型ダイナミックダンパの設計中心周波数と住宅の固有値（固有振動数）との誤差、即ち固有値変動量（住宅振動数領域の分割マス型ダイナミックダンパの設計中心周波数をゼロとする）と、振動レベルの低減量とを、それぞれ最適質量の分割数毎に図５〜７に示した。
【００３４】
図５〜７から分かるように、本発明の実施例である各分割マス型ダイナミックダンパの場合には、住宅の振動レベルの低減効果が大きく、しかもΔ５ｄＢ幅が０．８Ｈｚよりも大きいため、住宅の固有振動数変化やゴムマウントのバネ定数変化に対するロバスト性に優れている。しかも、規格化する分割マス型ダイナミックダンパの仕様数が少ないため、予め準備する規格品の数が少なくて済み、量産性及び経済性にも優れている。特に、前記実施例２、６、及び７は、ロバスト性を示すΔ５ｄＢ幅が１Ｈｚ以上であり、最適質量の分割数と住宅振動数領域での分画数（ＴＭＤ仕様数）が少ないため、優れた実施例であるといえる。
【００３５】
本発明で用いる分割マス型ダイナミックダンパは、予め規格化された製品を工場で製造しておき、その規格化された分割マス型ダイナミックダンパ群の中から住宅の固有振動数に応じて適宜選択して、そのまま住宅の天井裏などの構造部材に取り付けることができる。従って、個々の住宅の建築現場における分割マス型ダイナミックダンパのチューニング作業が全く不要となり、予め規格化され且つ工業的に量産された分割マス型ダイナミックダンパを極めて効率良く住宅に設置することができるので、生産性を飛躍的に向上させることができる。
【００３６】
しかも、分割マス型ダイナミックダンパは主振動系である住宅に対してそれぞれ独立した副振動系を構成し、交通振動や歩行時の振動などに対して有効な制振効果を発揮するのみならず、分割マス型ダイナミックダンパの固有振動数のピッチ幅を０．１〜０．８Ｈｚに調整することで反共振を無くしたり、広い振動数範囲で振動レベルの低減ができるので、住宅のような複数の振動数を持つ複雑な振動となるものに対しては有効となる。また、このような複数の分割マス型ダイナミックダンパを用いることで、住宅の建物の固有振動数変化やゴムマウントのバネ定数変化等に対するロバスト性が著しく改善されるため、１０年に１回程度のメンテナンスを実施すれば半永久的に性能を維持することができる。尚、上記のゴムマウントによる弾性支持に限らず、ゲル状になったゴム又は樹脂をシート状にしたものや２枚の鉄板の中にそのシートを挟み込んだ複合体、コイルばね、板ばね等のばね要素を持っているものが採用できる。
【００３７】
【発明の効果】
本発明によれば、予め住宅の固有振動数領域毎に設定され規格化された分割マス型ダイナミックダンパ群を用意しておき、その分割マス型ダイナミックダンパ群の中から住宅に合わせて選択して設置することによって、個々の住宅毎にチューニングなどの個別対応をする必要がなくなり、生産性を顕著に向上させることができる。しかも、各分割マス型ダイナミックダンパの固有振動数のピッチ幅を０．１〜０．８Ｈｚの間に設定することによって、反共振を無くし又は低減することが可能なうえ、広い振動数範囲で振動レベルの低減ができるので、住宅のような複数の振動数を持つ複雑な振動となるものに対して有効となる。また、住宅の建物の固有振動数変化やゴムマウントのバネ定数変化等に対するロバスト性が改善され、少ないメンテナンス回数で半永久的に制振性能を維持することができる。
【図面の簡単な説明】
【図１】本発明により住宅に設置した分割マス型ダイナミックダンパの一具体例を示す概略の平面図である。
【図２】本発明に係わる分割マス型ダイナミックダンパに用いるゴムマウントの一具体例を示す概略の側面図である。
【図３】図２のゴムマウントの一部を切り欠いて示した平面図である。
【図４】実施例２で設定された振動数の領域を示す説明図である。
【図５】最適質量を２分割し、固有振動数のピッチ幅が異なる各分割マス型ダイナミックダンパを設置した各実施例及び比較例において、固有値変動量と振動レベルの低減量との関係を示すグラフである。
【図６】最適質量を４分割し、固有振動数のピッチ幅が異なる各分割マス型ダイナミックダンパを設置した各実施例及び比較例において、固有値変動量と振動レベルの低減量との関係を示すグラフである。
【図７】最適質量を８分割し、固有振動数のピッチ幅が異なる各分割マス型ダイナミックダンパを設置した各実施例及び比較例において、固有値変動量と振動レベルの低減量との関係を示すグラフである。
【符号の説明】
１    規格化された分割マス型ダイナミックダンパ
１ａ、１ｂ、１ｃ、１ｄ    分割マス型ダイナミックダンパ
１１ａ、１１ｂ、１１ｃ、１１ｄ    分割マス
１２、１２ａ、１２ｂ、１２ｃ、１２ｄ    ゴムマウント
１３    板状金具
１４    ゴムブロック
【図１】
0003586444.tif 000003
【図２】
0003586444.tif 000004
【図３】
0003586444.tif 000005
【図４】
0003586444.tif 000006
【図５】
0003586444.tif 000007
【図６】
0003586444.tif 000008
【図７】
0003586444.tif 000009